(57)【要約】 【課題】  枢着される部材に対して適正な圧接力が及ぶようにしたスプリングワッシャー、及び当該ワッシャーを用いたトグルクランプを提供する。【解決手段】    レバーの操作に基づき所要のトグル機構を介して作動するクランプシャフトを具えたトグルクランプに於いて、当該トグル機構の所要レバーの枢着軸に、中央部に挿通孔を穿設しかつその全体が笠状を呈する弾性材料で製したワッシャー主体を、所要の枢軸を介して弾力性蓄積状態で安定化させることによって、当該枢軸を介して枢着状態にある所要レバーに対して圧接させるように構成したスプリングワッシャーを介在させるように構成したトグルクランプ。【選択図】  図１
2015010618.tif 000002
【特許請求の範囲】
【請求項１】
中央部に挿通孔を穿設しかつその全体が笠状を呈する弾性材料で製したワッシャー主体を、所要の枢軸を介して弾力性蓄積状態で安定化させることによって、当該枢軸を介して枢着状態にある所要レバーに対して圧接させるように構成したスプリングワッシャー。
【請求項２】
レバーの操作に基づき所要のトグル機構を介して作動するクランプシャフトを具えたトグルクランプに於いて、当該トグル機構の所要レバーの枢着軸に、請求項１に記載のスプリングワッシャーを介在させるように構成したトグルクランプ。
【発明の詳細な説明】
【技術分野】
【０００１】
本発明は、スプリングワッシャー及び同ワッシャーを用いたトグルクランプに関する。
【背景技術】
【０００２】
従来のスプリングワッシャーは、Ｃ字状を呈しかつその両端に高低差を持たせることにより、スプリング効果が奏されるようにしたものである。（特許文献１参照。）  そして、当該スプリングワッシャーは、螺子の緊締に基づきこれを圧縮化して螺子の緩みを阻止するために用いるものである。
【０００３】
一方、トグルクランプとは部材の固定を図るための金具であり、単純な螺子締めに依存するもの等、各種のクランプがその業界毎に存在する。
【０００４】
そして、そのトグル機構とは二つのリンクと一つのスライダーから構成されるリンク機構の一種である。  一般的なリンク機構の目的は、多くの場合、機械の運動を一定のパターンに束縛するためのものであり、伝達要素として力を伝えることができる。  そして、トグル機構は、人力程度の入力でも非常に大きな出力が得られるため、手動式の締付工具などに利用されている。
【０００５】
ところで、トグルクランプとは、上記したトグル機構を組み込んだクランプであり（例えば特許文献２参照。）、その作用の強力性及び確実性から、自動車、造船、航空機をはじめ、重電機器、農業機械、繊維等各種の業界において、製造、加工、組立の欠くことのできない器具として利用されている。
【先行技術文献】
【特許文献】
【０００６】
【特許文献１】特開平１６−２３１９号公報
【特許文献２】特開２００１−２６９８３１号公報
【発明の概要】
【発明が解決しようとする課題】
【０００７】
従来、スプリングワッシャーは主としてボルト締めの緩みを防止するために用いるものである。  従って、ボルトの締着前は、緩んだ状態にあり、ボルト締めを行うことにより、これが扁平化してその復元力（反発力）に基づきボルトの締着の安定化を図ることを目的とする。  換言すると、当該ボルトの締着強さによって、スプリングワッシャーの圧縮力が決定されることとなる。  この場合、当該ボルトにより例えば所要のレバーを枢着していた場合、当該レバーの枢着部の締付の力はスプリングワッシャーの圧縮力によって定まるが、一方、スプリングワッシャーの圧縮力はボルトの締着力に影響するため、仮に、レバーの枢着部の締付力にスプリングワッシャーの締着度合いを合わせた場合、ボルトに対する締付力不足と言うような事態を招いてしまうこととなる。
【０００８】
本発明はこのようなスプリングワッシャーの利用上に生じた問題点を解消化すると共に、トグルクランプに於ける所要の枢着部分に本発明に係るスプリングワッシャーを採用することにより、そのレバー機構の安定した挟着力の保持が成されるようにしたトグルクランプの提供が図られるようにしたものである。
【課題を解決するための手段】
【０００９】
本発明は請求項１に記載のように、中央部に挿通孔を穿設しかつその全体が笠状を呈する弾性材料で製したワッシャー主体を、所要の枢軸を介して弾力性蓄積状態で安定化させることによって、当該枢軸を介して枢着状態にある所要レバーに対して圧接させるように構成したスプリングワッシャーに係る。
【００１０】
本発明は請求項２に記載のように、レバーの操作に基づき所要のトグル機構を介して作動するクランプシャフトを具えたトグルクランプに於いて、当該トグル機構の所要レバーの枢着軸に、請求項１に記載のスプリングワッシャーを介在させるように構成したトグルクランプに係る。
【発明の効果】
【００１１】
本発明に係るスプリングワッシャーは、請求項１に記載のように、中央部に挿通孔を穿設しかつその全体が笠状を呈する弾性材料で製したワッシャー主体を、所要の枢軸を介して弾力性蓄積状態で安定化させることによって、当該枢軸を介して枢着状態にある所要レバーに対して圧接させるように構成したから、その蓄積されている弾力性に基づき、当該枢着されている所要レバーに対する安定性付与が働き、その作動はがたつきの無い円滑性を具えたものとするような枢着目的が達成されることとなる。
【００１２】
本発明に係るトグルクランプは、請求項２に記載のように、  レバーの操作に基づき所要のトグル機構を介して作動するクランプシャフトを具えたトグルクランプに於いて、当該トグル機構の所要レバーの枢着軸に、請求項１に記載のスプリングワッシャーを介在させるように構成したから、当該所要レバーに対するその蓄積されている弾力性に基づき、がたつきの無い安定性が付与されることとなる。  従って、トグルクランプとしての操作性の良好化が図られ、安定したクランプ作動が奏されることとなる。
【図面の簡単な説明】
【００１３】
【図１】本発明の要部たるワッシャー主体を表した説明用側面図である。
【図２】同ワッシャー主体の使用状態を表した断面図である。
【図３】ワッシャー主体の平面図である。
【図４】同上正面図である。
【図５】同上縦断面図である。
【図６】本発明に係るスプリングワッシャーを用いたトグルクランプの一例を表した側面図である。
【発明を実施するための形態】
【００１４】
図３乃至図５は本発明に係るスプリングワッシャーの要旨部品たるワッシャー主体１を表したものである。  当該ワッシャー主体１は全体が笠状を呈する外観を具えており、その全体が弾力性材料で形成してある。  そして、当該笠状の斜状周面１ａ部分が弾性部材として機能するものである。  すなわち、図１に示すように上面及び下面方向から圧力が加わった際に、斜状周面１ａ部分が同図に鎖線で示すように変形して、弾力的反発力が貯えられるように構成してある。
【００１５】
１ｂは当該ワッシャー主体１の中央部に穿設した挿通孔であって、図２に示すように所要の枢軸２を介して弾力性蓄積状態で安定化させることによって、当該枢軸２を介して枢着状態にある所要レバー３に対して圧接させるように構成する。
【００１６】
この状態において、ワッシャー主体１は弾力性が貯えられた状態に保たれているため、その力は所要レバー３の枢着部を押圧するため、当該所要レバー３はがたつきの無い極めて安定した状態に保たれることとなる。
【００１７】
なお、前記枢軸２であるが、これは通常のボルト・ナットであっても良いが、ワッシャー主体１に対する押圧力の安定化を図るためには、図２に示すような固定的なピン止めとすることが好ましい。
【００１８】
図６は本発明を施したトグルクランプの一例を表したものである。  同図において、Ａは操作用レバー、Ｂは当該操作レバーＡによってスライス作動が行われるトグル機構部、Ｃは当該スライス作動に基づき前進運動が行われるクランプシャフトであって、所定のクランプ作業を行わせる為のものである。
【００１９】
本発明に係るトグルクランプは、上記したようなトグルクランプに於いて、図６にＰで示す部分の枢軸に対して、既述したワッシャー主体１を、弾力性が貯えられた状態で介在させるように構成したものである。  これにより、当該枢軸によって枢着されている操作レバーＡの動きは、がたつきを生じることなく極めて円滑なものとされる。
【００２０】
なお、トグルクランプに対するスプリングワッシャーを設ける部分であるが、これはトグルクランプの形態によって異なるが、がたつきをと生じさせたくなく円滑性を必要とする枢着部分に設けるものとする。
【符号の説明】
【００２１】
１  ワッシャー主体
1a  笠状の斜状周面
1b  挿通孔
２  枢軸
３  所要レバー
Ａ  操作レバー
Ｂ  トグル機構部
Ｃ  クランプシャフト  
Ｐ  本発明の実施部分
【図１】
2015010618.tif 000003
【図２】
2015010618.tif 000004
【図３】
2015010618.tif 000005
【図４】
2015010618.tif 000006
【図５】
2015010618.tif 000007
【図６】
2015010618.tif 000008